(57)【要約】【課題】液晶表示装置において、画面のちらつき（フリッカ）を効果的に抑制できるようにする。【解決手段】複数の画素からなる液晶パネル上にマトリクス状に設定された複数の映像信号線に、出力映像に応じた映像電圧を供給する映像信号線駆動手段２と、前記各映像信号線上のオフセット電圧のオフセット方向を検出するオフセット方向検出手段３と、前記オフセット方向検出手段３により検出された前記オフセット方向に基づいて、全ての前記映像信号線のオフセット電圧のオフセット方向を同一方向に集約させるオフセット方向集約手段４とを備える。【選択図】  図１
2010085943.tif 000002
【特許請求の範囲】
【請求項１】
複数の画素からなる液晶パネル上にマトリクス状に設定された複数の映像信号線に、出力映像に応じた映像電圧を供給する映像信号線駆動手段と、
前記各映像信号線上のオフセット電圧のオフセット方向を検出するオフセット方向検出手段と、
前記オフセット方向検出手段により検出された前記オフセット方向に基づいて、全ての前記映像信号線のオフセット電圧のオフセット方向を同一方向に集約させるオフセット方向集約手段と、
を有する液晶表示装置。
【請求項２】
前記映像電圧を供給するタイミングを制御するための制御信号と、差動切り替え参考信号とに基づいて、差動切り替え信号を出力する差動切り替え信号出力装置と、
前記差動切り替え信号と階調電圧信号とに基づいて、前記映像電圧を出力する出力バッファと、
前記各映像信号線に接続され、個々に対して独立したＯＮ／ＯＦＦ制御を可能にする制御信号により制御される出力切り替えスイッチと、
画像階調電圧を基準電圧として入力すると共に、前記出力切り替えスイッチのＯＮ時に前記映像電圧を比較電圧として入力し、これら基準電圧及び比較電圧に基づいて生成された前記差動切り替え参考信号を前記差動切り替え信号出力装置に出力する比較器と、
を有して構成される請求項１記載の液晶表示装置。
【請求項３】
前記映像電圧を供給するタイミングを制御するための制御信号と、差動切り替え参考信号とに基づいて、差動切り替え信号を出力する差動切り替え信号出力装置と、
前記差動切り替え信号と階調電圧信号とに基づいて、前記映像電圧を出力する出力バッファと、
前記各映像信号線に接続され、個々に対して独立したＯＮ／ＯＦＦ制御を可能にする制御信号により制御される出力切り替えスイッチと、
前記各映像信号線に接続され、全てを同時にＯＮ／ＯＦＦ制御可能にする制御信号により制御される出力短絡スイッチと、
前記出力切り替えスイッチ及び前記出力短絡スイッチのＯＮ／ＯＦＦに応じて、基準電圧及び比較電圧が選択的に入力され、これら基準電圧及び比較電圧に基づいて生成された前記差動切り替え参考信号を前記差動切り替え信号出力装置に出力する比較器と、
を有して構成される請求項１記載の液晶表示装置。
【請求項４】
前記出力バッファは、
前記差動切り替え信号出力装置により出力された前記差動切り替え信号と、該差動切り替え信号の逆相信号とに基づいて互いに逆相にＯＮ／ＯＦＦ切り替えされる２つスイッチからなる第１の差動切り替えスイッチと、
前記差動切り替え信号出力装置により出力された前記差動切り替え信号と、該差動切り替え信号の逆相信号とに基づいて互いに逆相にＯＮ／ＯＦＦ切り替えされる２つスイッチからなる第２の差動切り替えスイッチと、
前記第１及び第２の差動入力信号線が接続され、これら第１及び第２の差動切り替えスイッチの状態により、前記階調電圧信号と前記映像電圧のフィードバック信号とが、選択的に入力され、前記映像電圧を出力する出力アンプと、
を有して構成される請求項２又は３記載の液晶表示装置。
【請求項５】
前記映像電圧を供給するタイミングを制御するための制御信号と、差動切り替え参考信号とに基づいて、差動切り替え信号を出力する差動切り替え信号出力装置と、
前記差動切り替え信号と階調電圧信号とに基づいて、前記映像電圧を前記映像信号線に出力すると共に、該映像電圧のフィードバック信号を前記差動切り替え信号出力装置に前記差動切り替え参考信号として出力する出力バッファと、
前記各映像信号線に接続され、全てを同時にＯＮ／ＯＦＦ制御可能にする制御信号により制御される出力短絡スイッチと、
を有して構成される請求項１記載の液晶表示装置。
【請求項６】
前記出力バッファは、
前記差動切り替え信号出力装置により出力された前記差動切り替え信号と、該差動切り替え信号の逆相信号とに基づいて互いに逆相にＯＮ／ＯＦＦ切り替えされる２つスイッチからなる第１の差動切り替えスイッチと、
前記差動切り替え信号出力装置により出力された前記差動切り替え信号と、該差動切り替え信号の逆相信号とに基づいて互いに逆相にＯＮ／ＯＦＦ切り替えされる２つスイッチからなる第２の差動切り替えスイッチと、
前記第１及び第２の差動入力信号線が接続され、これら第１及び第２の差動切り替えスイッチの状態により、前記階調電圧信号と前記映像電圧のフィードバック信号とが、選択的に入力され、前記映像電圧を出力する出力アンプと、
前記出力アンプ内の出力トランジスタのＰ−ＭＯＳトランジスタ（ＭＰ）及びＮ−ＭＯＳトランジスタ（ＭＮ）のそれぞれのゲート電極に接続され、前記出力短絡スイッチを制御する制御信号と同期してＯＮ／ＯＦＦ制御される電流検出切り替えスイッチと、
前記電流検出切り替えスイッチにＰ−ＭＯＳトランジスタ（ＭＰ'）及びＮ−ＭＯＳトランジスタ（ＭＮ'）のそれぞれのゲート電極が接続され、これらＭＰ'及びＭＮ'で構成されるインバータ出力を、前記差動切り替え信号出力装置に入力される前記差動切り替え参考情報とする電流判定トランジスタとを有し、
前記出力トランジスタ及び前記電流判定トランジスタのそれぞれのトランジスタサイズの比が、ＭＰ：ＭＮ＝ＭＰ'：ＭＮ'の関係にある、
請求項５記載の液晶表示装置。
【発明の詳細な説明】
【技術分野】
【０００１】
本発明は、液晶表示装置において、画面のちらつき（フリッカ）を防止するための技術に関するものである。
【背景技術】
【０００２】
近年、液晶テレビ、携帯電話等の様々な製品において、液晶表示装置が多く利用されている。このような液晶表示装置には高い品質が要求されており、特にフリッカを防止するための技術の向上が求められている。
【０００３】
液晶表示装置には、液晶パネルを構成する複数の画素に対して、表示しようとする映像に応じた電圧を印加する手段が備えられている。この手段は、ドレインドライバ、ゲートドライバ等と称され、前記液晶パネルにマトリクス状に設定された映像信号線毎に所望の映像電圧を供給する複数の映像信号線駆動手段を有して構成されている。
【０００４】
前記フリッカは、液晶パネルに供給される電圧値のばらつき（出力偏差）に起因して発生し、この出力偏差は、前記映像信号線毎に異なるオフセット電圧の特性差に起因して発生する。このオフセット電圧は、前記各映像信号線駆動手段に用いられる半導体素子の品質差等に起因して生ずるため、映像信号線毎にランダムに発生するものである。即ち、映像信号線毎にオフセット方向が＋側であったり、−側であったりする。このように、オフセット電圧の特性差が出力偏差を生じ、フリッカを生じさせる原因となる。
【０００５】
上記問題に対処するための先行技術として、次のような従来発明が開示されている。この従来発明は、各映像信号線に映像信号電圧を出力する複数のアンプ回路のそれぞれから、所定周期毎に、入力映像信号にオフセット電圧が加算された映像信号電圧、或いは入力映像信号からオフセット電圧が減算された映像信号電圧を出力し、また各アンプ回路からｎフレーム毎に、入力映像信号にオフセット電圧が加算又は減算された映像信号電圧を、交互に出力するものである（特許文献１参照）。
【特許文献１】特開平１１−２４９６２３号公報
【発明の開示】
【発明が解決しようとする課題】
【０００６】
しかしながら、上記特許文献１に開示される方法においては、フレーム間でキャンセルを行った時に、実際には正極性の光の透過率と負極性の光の透過率とが異なるため、オフセット電圧による出力偏差が大きくなってしまう場合があるという問題があった。
【課題を解決するための手段】
【０００７】
上記課題を鑑みてなされた本発明は、複数の画素からなる液晶パネル上にマトリクス状に設定された複数の映像信号線に、出力映像に応じた映像電圧を供給する映像信号線駆動手段と、前記各映像信号線上のオフセット電圧のオフセット方向を検出するオフセット方向検出手段と、前記オフセット方向検出手段により検出された前記オフセット方向に基づいて、全ての前記映像信号線のオフセット電圧のオフセット方向を同一方向に集約させるオフセット方向集約手段とを有する液晶表示装置である。
【０００８】
この構成によれば、オフセット電圧は各映像信号線に出力される前に全て同一方向に集約される。
【発明の効果】
【０００９】
以上のように、本発明によれば、例えばドレインドライバから各ドレイン信号線に出力されるオフセット電圧が、全て＋側又は−側に集約される。これにより、液晶パネル上での出力偏差を従来の１／２以下に抑えることが可能となり、フリッカの発生を効果的に抑制することができる。
【発明を実施するための最良の形態】
【００１０】
以下に、本発明の実施の形態を添付した図面を参照して説明する。図１において、本発明に係る液晶表示装置１の基本的な構成が示されている。この液晶表示装置１は、複数の画素からなる液晶パネル上にマトリクス状に設定された複数の映像信号線に、出力映像に応じた映像電圧を供給する映像信号線駆動手段２と、前記各映像信号線上のオフセット電圧のオフセット方向を検出するオフセット方向検出手段３と、前記オフセット方向検出手段３により検出された前記オフセット方向に基づいて、全ての前記映像信号線のオフセット電圧のオフセット方向を同一方向に集約させるオフセット方向集約手段４とを有して構成されている。
【００１１】
上記本発明に係る液晶表示装置１によれば、オフセット電圧は各映像信号線から出力される前に全て同一方向に集約される。例えばドレインドライバから各ドレイン信号線に出力されるオフセット電圧は、全て＋側又は−側に集約される。これにより、液晶パネル上での出力偏差が従来の１／２以下に抑えられ、フリッカの発生は効果的に抑制される。
【００１２】
以下に、本発明のより具体的な実施の形態を説明する。尚、異なる実施の形態において、同一又は同様の作用効果を奏する箇所については同一の符号を付してその説明を省略する。
【００１３】
発明の実施の形態１．
図２において、本実施の形態に係るドレインドライバ１１の構造が示されている。このドレインドライバ１１は、正極性階調電圧生成回路１２、負極性階調電圧生成回路１３、制御回路１４、入力レジスト回路１６、ストレージレジスト回路１７、レベルシフト回路１８、及びオフセット電圧制御出力回路２０を有し、１つの半導体集積回路から構成される。
【００１４】
前記正極性階調電圧生成回路１２は、正極性の５値の階調基準電圧に基づいて６４階調の階調電圧を生成し、これを電圧バスライン２５を介してオフセット電圧制御出力回路２０に出力する。
【００１５】
前記負極性階調電圧生成回路１３は、負極性の５値の階調基準電圧に基づいて６４階調の階調電圧を生成し、これを電圧バスライン２６を介して前記オフセット電圧制御出力回路２０に出力する。
【００１６】
前記制御回路１４内のシフトレジスト回路は、データ取り込み用信号を生成し、入力レジスト回路１６に出力する。
【００１７】
前記入力レジスト回路１６は、前記制御回路１４内のシフトレジスト回路から出力されるデータ取り込み用信号に基づいて、各色６ビットの表示データを出力本数分だけラッチする。
【００１８】
前記ストレージレジスト回路１７は、前記入力レジスト回路１６内の表示データをラッチする。
【００１９】
前記ストレージレジスタ回路１７に取り込まれた表示データは、前記レベルシフト回路１８を介して前記オフセット電圧制御出力回路２０に入力される。
【００２０】
前記オフセット電圧制御出力回路２０の出力部２１は、正極性の６４階調の階調電圧、或いは負極性の６４階調の階調電圧に基づいて、出力映像に対応した１つの階調電圧（６４階調中の１つの階調電圧）を選択して、各ドレイン信号線２８に出力する。
【００２１】
そして、前記オフセット電圧制御出力回路２０には、フリッカの原因となるオフセット電圧を制御するための手段が備えられている。図３において、このオフセット電圧制御回路１９の構成が示されている。このオフセット電圧制御出力回路２０は、差動切り替え信号出力装置３１、出力バッファ３２、出力切り替えスイッチ３３、及び比較器３４を有して構成されている。
【００２２】
前記差動切り替え信号出力装置３１は、前記制御回路１４（図２参照）からの制御信号が入力され、前記比較器３４からの差動切り替え参考情報４１を記憶する。
【００２３】
前記出力バッファ３２は、前記差動切り替え信号出力装置３１から出力される差動切り替え信号４２と、前記正極性階調電圧生成回路１２（図２参照）及び前記負極性階調電圧生成回路１３から出力される画像階調電圧４３に基づいて生成される階調電圧信号４４が入力され、前記ドレイン信号線２８を通じて液晶パネルにドレイン信号を出力する。前記出力部２１（図２参照）は、複数の出力バッファ３２により構成される。
【００２４】
前記出力切り替えスイッチ３３は、一端が前記ドレイン線２８に接続されると共に、他端が前記比較器３４に接続され、前記制御回路１４から出力される制御信号φ１，φ２，φ３，・・，φａが"Ｈ"の時にＯＮとなり、"Ｌ"の時にＯＦＦとなる。
【００２５】
前記差動切り替え信号出力装置３１と、前記出力バッファ３２と、前記出力切り替えスイッチ３３とにより構成される部分を、ドレイン信号線駆動ブロック３５（映像信号線駆動手段）と称する。
【００２６】
前記比較器３４は、前記出力バッファ３２から前記出力切り替えスイッチ３３を通じて出力されるドレイン信号を比較電圧４５とし、前記画像階調電圧４３を基準電圧４６として入力し、前記差動切り替え信号出力装置３１に差動切り替え参考情報４１を出力する。
【００２７】
図４において、前記出力バッファ３２の構成が示されている。この出力バッファ３２は、第１の差動切り替えスイッチ５１、第２の差動切り替えスイッチ５２、及び出力アンプ５３を有して構成されている。
【００２８】
前記第１の差動切り替えスイッチ５１は、前記差動切り替え信号出力装置３１（図３参照）から出力される差動切り替え信号４２と、インバータ５５により変換された差動切り替え信号４２の逆相信号６１とが入力され、逆相でＯＮ／ＯＦＦ切り替えされる２つのスイッチから構成される。
【００２９】
前記第２の差動切り替えスイッチ５２は、前記差動切り替え信号４２と、前記逆相信号６１とが入力され、逆相でＯＮ／ＯＦＦ切り替えされる２つのスイッチから構成される。
【００３０】
前記出力アンプ５３は、前記階調電圧信号４４（図３参照）が入力され、ドレイン信号を前記ドレイン信号線２８に出力し、このドレイン信号をフィードバック信号として入力する。この出力アンプ５３には、第１の差動入力信号線６２及び第２の差動入力信号線６３が接続されている。前記第１及び第２の差動切り替えスイッチ５１，５２の状態により、前記階調電圧信号４４及びフィードバック信号（ドレイン信号）が、前記第１及び第２の差動入力信号線６２，６３のどちらから入力されるかが決定する。例えば、図４で示す状態においては、前記階調電圧信号４４は前記第２の差動入力信号線６３から入力され、前記フィードバック信号は前記第１の差動入力信号線６２から入力される。
【００３１】
図５において、上記構成のオフセット電圧制御出力回路２０におけるタイミングチャートが示されている。Ｔ１〜Ｔ２間の有効設定タイミングにおいて、先ずＴ１のタイミングで制御信号が切り替えられ、前記出力バッファ３２内の前記第１及び第２の差動切り替えスイッチ５１，５２（図４参照）が同一方向にスイッチングされ、前記出力切り替えスイッチ３３（図３参照）をＯＦＦ状態にし、設定データとしての前記階調電圧信号４４の電圧を前記基準電圧４６と同値にする。
【００３２】
ここで、全ての出力バッファ３２の構成は同様であるから、全ての差動切り替え信号４２−１，４２−２，４２−３，・・４２−ａは同一方向に切り替えられる。この時の前記ドレイン信号線２８−１，２８−２，２８−３，・・，２８−ｎのオフセット電圧は、ランダムに発生している状態である。この例では、ドレイン信号線２８−１，２８−２，及び２８−ａは下側にオフセット電圧を有し、ドレイン信号線２８−３は上側にオフセット電圧を有している。
【００３３】
次いで、前記制御信号φ１〜φａを順次"Ｈ"にしていく。これにより、前記出力切り替えスイッチ３３がＯＮになると、前記比較器３４において、前記ドレイン信号が前記比較電圧４５とされて前記基準電圧４６と比較される。
【００３４】
そして、基準電圧４６＞比較電圧４５である場合に、出力信号が"Ｈ"となるように前記比較器３４を設定しておけば、前記制御信号φ１が"Ｌ"のタイミングで前記差動切り替え参考情報４１（図３参照）が前記差動切り替え信号出力装置３１に取り込まれる。
【００３５】
この時、基準電圧４６＜比較電圧４５である場合には、前記比較器３４の出力は"Ｌ"となり、同様に前記制御信号φ１が"Ｌ"のタイミングで前記差動切り替え参考情報４１が前記差動切り替え信号出力装置３１に取り込まれる。
【００３６】
最後に、Ｔ２のタイミングで制御信号が切り替えられ、前記差動切り替え信号４２−１，４２−２，４２−３，・・，４２−ａの値が有効になることで、前記ドレイン信号線２８−１，２８−２，２８−３，・・，２８−ｎにおけるオフセット電圧の向きが切り替わり、これと同時に通常画像データが入力され、通常動作に移行する。この例においては、ドレイン信号線２８−１，２８−２，及び２８−ａのオフセット電圧は上側に変化され、ドレイン信号線２８−３のオフセット電圧はそのままの状態を保持される。
【００３７】
以上のように、前記比較器３４から出力される差動切り替え参考情報４１が"Ｈ"である場合に、前記差動切り替え信号４２−１，４２−２，４２−３，・・，４２−ａが反転するように前記差動切り替え信号出力装置３１を設定しておくことにより、基準電圧４６＞比較電圧４５である場合に限り、前記出力バッファ３２内の第１及び第２の差動切り替えスイッチ５１，５２が切り替わる。これにより、オフセット電圧が下側となる出力バッファ３４についてだけオフセットの方向を反転させることができるので、全てのオフセット電圧を上側に集約することができる。また、同様に、オフセット電圧の向きを下側に集約することもできる。
【００３８】
発明の実施の形態２．
図６において、本実施の形態に係るオフセット電圧制御出力回路７０の構成が示されている。このオフセット電圧制御出力回路７０は、前記差動切り替え信号出力装置３１、前記出力バッファ３２、前記出力切り替えスイッチ３３、前記比較器３４、及び出力短絡スイッチ７１を有して構成されている。
【００３９】
上記実施の形態１との相違点は、出力短絡スイッチ７１が備えられている点である。この出力短絡スイッチ７１は、一端が前記ドレイン線２８に接続されると共に、他端が前記比較器３４に接続され、制御信号φ０が"Ｈ"の時にＯＮとなる。この出力短絡スイッチ７１がＯＮとなることにより、前記出力バッファ３２から出力された前記ドレイン信号が、前記基準電圧４６として前記比較器３４に入力される。
【００４０】
即ち、上記実施の形態１においては、前記画像階調電圧４３を基準電圧４６として利用するのに対し、本実施の形態においては、全出力をショートして得られる平均電圧を前記基準電圧４６として利用する。
【００４１】
図７において、上記構成のオフセット電圧制御出力回路７０におけるタイミングチャートが示されている。本実施の形態に係るタイミングチャートにおいては、上記実施の形態１に係るタイミングチャート（図５参照）に、前記出力短絡スイッチ７１を駆動するための制御信号φ０が加えられる。その他の動作については、上記実施の形態１と同様である。
【００４２】
発明の実施の形態３．
図８において、本実施の形態に係るオフセット電圧制御出力回路８０の構成が示されている。このオフセット電圧制御出力回路８０は、前記差動切り替え信号出力装置３１、出力バッファ８１、及び出力短絡スイッチ８２を有して構成されている。
【００４３】
本実施の形態に係る出力バッファ８１及び出力短絡スイッチ８２は、上記実施の形態１又は２に係る前記出力バッファ３２及び出力短絡スイッチ７１と異なる構成を有している。また、本実施の形態においては、前記比較器３４が存在しない。
【００４４】
前記差動切り替え信号出力装置３１と、前記出力バッファ８１と、前記出力短絡スイッチ８２とにより構成される部分を、ドレイン信号線駆動ブロック８４と称する。
【００４５】
図９において、前記出力バッファ８１の構成が示されている。この出力バッファ８１は、前記第１の差動切り替えスイッチ５１、前記第２の差動切り替えスイッチ５２、出力アンプ８５、電流検出切り替えスイッチ８６、及び電流判定トランジスタ９１を有して構成されている。
【００４６】
前記第１及び第２の差動切り替えスイッチ５１，５２については、上記実施の形態１（及び２）と同様の作用効果を奏する。前記出力アンプ８５には、前記第１の差動入力信号線６２及び第２の差動入力信号線６３が接続されており、この出力アンプ８５から前記ドレイン信号線２８に出力されるドレイン信号は、前記第１の差動切り替えスイッチ５１にフィードバックされる。
【００４７】
前記電流検出切り替えスイッチ８６は、前記出力アンプ８５内の出力トランジスタ９０のＰ−ＭＯＳトランジスタ（ＭＰ）及びＮ−ＭＯＳトランジスタ（ＭＮ）のそれぞれのゲート電極に接続され、制御信号φ０が"Ｈ"の時にＯＮとなる。
【００４８】
前記電流判定トランジスタ９１は、前記電流検出切り替えスイッチ８６にＰ−ＭＯＳトランジスタ（ＭＰ'）及びＮ−ＭＯＳトランジスタ（ＭＮ'）のそれぞれのゲート電極が接続され、ＭＰ'及びＭＮ'で構成されるインバータ出力が、前記差動切り替え信号出力装置３１（図８参照）に入力される差動切り替え参考情報９５となるものである。
【００４９】
前記出力トランジスタ９０及び前記電流判定トランジスタ９１のそれぞれのトランジスタサイズ比は、ＭＰ：ＭＮ＝ＭＰ'：ＭＮ'の関係となっている。前記第１及び前記第２の差動切り替えスイッチ５１，５２は、前記差動切り替え信号出力装置３１（図８参照）から出力される前記差動切り替え信号４２及び前記逆相信号６１により切り替えられる。
【００５０】
図１０において、上記構成のオフセット電圧制御出力回路８０におけるタイミングチャートが示されている。
【００５１】
Ｔ１〜Ｔ２間の有効設定タイミングにおいて、先ずＴ１のタイミングで制御信号が切り替えられ、前記出力バッファ８１内の前記第１及び第２の差動切り替えスイッチ５１，５２（図９参照）は出力同一方向にスイッチングされる。
【００５２】
ここで、全ての出力バッファ８１の構成は同様であるから、全ての差動切り替え信号４２−１，４２−２，４２−３，・・，４２−ａは同一方向に切り替えられる。この時の前記ドレイン信号線２８−１，２８−２，２８−３，・・２８−ｎのオフセット電圧は、ランダムに発生している状態である。この例では、ドレイン信号線２８−１，２８−２，及び２８−ａは下側にオフセット電圧を有し、ドレイン信号線２８−３は上側にオフセット電圧を有している。
【００５３】
次いで、Ｔ１のタイミングでφ０を"Ｈ"にし、前記出力短絡スイッチ８２をＯＮにすることにより、全てのドレイン信号線２８−１，２８−２，２８−３，・・，２８−ａが短絡される。この短絡により得られる電圧が、全ドレイン信号線２８−１，２８−２，２８−３，・・，２８−ａの平均電圧となる。
【００５４】
この時、前記平均電圧よりも前記ドレイン信号線駆動ブロック８４（図８参照）の電圧の方が高い場合には、このドレイン信号線駆動ブロック８４から前記出力短絡スイッチ８２に電流が流れる状態となる。一方、前記平均電圧よりも前記ドレイン信号線駆動ブロック８４の電圧の方が低い場合には、このドレイン信号線駆動ブロック８４へ前記出力短絡スイッチ８２側から電流が流れる状態となる。
【００５５】
次に、図８を参照して、前記出力バッファ８１内の動作について説明する。先ず、出力バッファ８１から前記出力短絡スイッチ８２側に電流が流れる状態について説明する。通常、前記出力アンプ８５が充電も放電も行っていない平衡状態の場合、前記出力トランジスタ９０のＭＰ及びＭＮに流れる電流は等しくなる。しかし、前記出力バッファ８１から前記出力短絡スイッチ８２側に電流が流れる状態の場合には、前記出力アンプ８５内のＭＰとＭＮに流れる電流のバランスは崩れ、ＭＰ電流＞ＭＮ電流となる。
【００５６】
ＭＰ電流＞ＭＮ電流の状態であるならば、前記電流検出切り替えスイッチ８６を介して共通ゲート電極である前記電流判定トランジスタ９１においても、ＭＰ'電流＞ＭＮ'電流の状態になる。
【００５７】
ＭＰ電流＞ＭＮ電流の状態は、前記差動切り替え参考情報９５を"Ｈ"側に持ち上げる状態であるので、前記出力バッファ８１側から電流が流れる状態であるならば、前記差動切り替え参考情報９５は"Ｈ"となり、前記差動切り替え信号出力装置３１に入力される。
【００５８】
前記出力バッファ８１に対して前記出力短絡スイッチ８２側から電流が流れる状態であれば、ＭＰ電流＞ＭＮ電流の状態に対して全て逆の動作となり、前記差動切り替え参考情報９５は"Ｌ"となって前記差動切り替え信号出力装置３１に入力される。
【００５９】
このように、本実施の形態においても、上記実施の形態１及び２と同様に、オフセット電圧の向きに応じて、前記差動切り替え参考情報９５の"Ｈ"又は"Ｌ"を決定することができる。
【００６０】
最後に、図１０におけるＴ２のタイミングで制御信号を切り替え、前記差動切り替え信号４２−１，４２−２，４２−３，・・，４２−ａの値を有効にし、前記ドレイン信号線２８−１，２８−２，２８−３，・・，２８−ａのオフセットの向きを切り替え、通常動作に移行する。
【００６１】
以上のように、本実施例によれば、比較器を不要にすることができ、更に１出力毎に出力電圧を切り替える必要がなくなる。
【００６２】
また、上記実施の形態１〜３において、前記差動切り替え信号出力装置３１を不揮発性記憶回路で構成すれば、オフセット電圧の向きが同一の製品だけを選別して出荷することが可能となる。
【図面の簡単な説明】
【００６３】
【図１】図１は、本発明に係る液晶表示装置の基本的な構成を示す図である。
【図２】図２は、本発明の実施の形態１に係るドレインドライバの構成を示す図である。
【図３】図３は、実施の形態１に係るオフセット電圧制御出力回路の構成を示す図である。
【図４】図４は、実施の形態１に係る出力バッファの構成を示す図である。
【図５】図５は、実施の形態１に係る液晶表示装置におけるタイミングチャートである。
【図６】図６は、実施の形態２に係るオフセット電圧制御出力回路の構成を示す図である。
【図７】図７は、実施の形態２に係る液晶表示装置におけるタイミングチャートである。
【図８】図８は、実施の形態３に係るオフセット電圧制御出力回路の構成を示す図である。
【図９】図９は、実施の形態３に係る出力バッファの構成を示す図である。
【図１０】図１０は、実施の形態３に係る液晶表示装置におけるタイミングチャートである。
【符号の説明】
【００６４】
１  液晶表示装置
２  映像信号線駆動手段
３  オフセット方向検出手段
４  オフセット方向集約手段
３１  差動切り替え信号出力装置
３２，８１  出力バッファ
３３  出力切り替えスイッチ
３４  比較器
７１  出力短絡スイッチ
５１  第１の差動切り替えスイッチ
５２  第２の差動切り替えスイッチ
５３，８５  出力アンプ
８６  電流検出切り替えスイッチ
９０  出力トランジスタ
９１  電流判定トランジスタ
【図１】
2010085943.tif 000003
【図２】
2010085943.tif 000004
【図３】
2010085943.tif 000005
【図４】
2010085943.tif 000006
【図５】
2010085943.tif 000007
【図６】
2010085943.tif 000008
【図７】
2010085943.tif 000009
【図８】
2010085943.tif 000010
【図９】
2010085943.tif 000011
【図１０】
2010085943.tif 000012